(57)【要約】【課題】  省スペース化を図りつつ、コネクタから検知電線に外力が及ぶことを抑制することが可能な配線モジュールを提供する。【解決手段】  電力を蓄電又は発電する複数の電力素子（ＢＣ）を並べた電力モジュールに取り付けられる配線モジュール（１）であって、各電力素子を相互接続するための複数の相互接続導体を収容する絶縁プロテクタ（２０）と、絶縁プロテクタ（２０）に収容され各電力素子側から延出されて電力素子（ＢＣ）の状態を検知する複数本の検知電線（９０）と、検知電線（９０）の端部に設けられて絶縁プロテクタ（２０）内に配置されたコネクタ（３０）と、絶縁プロテクタ（２０）に設けられコネクタ（３０）を係止することでコネクタの移動を規制する移動規制手段（６２，６７）とを備える。【選択図】図１
2018085201.tif 000002
【特許請求の範囲】
【請求項１】
電力を蓄電又は発電する複数の電力素子を並べた電力モジュールに取り付けられる配線モジュールであって、
前記各電力素子を相互接続するための複数の相互接続導体を収容する絶縁プロテクタと、
前記絶縁プロテクタに収容され前記各電力素子側から延出されて前記電力素子の状態を検知する複数本の検知電線と、
前記検知電線の端部に設けられて前記絶縁プロテクタ内に配置されたコネクタと、
前記絶縁プロテクタに設けられ前記コネクタを係止することで前記コネクタの移動を規制する移動規制手段とを備える配線モジュール。
【請求項２】
前記コネクタは、相手方コネクタに設けられたフード部によって前方部分が外嵌されるハウジングを備えた雌コネクタであって、前記絶縁プロテクタには前記ハウジングのうち前記フード部によって外嵌されない後方部分を支持することで外嵌される前記前方部分を前記絶縁プロテクタから浮き上がり状態に保持する支持台部が設けられている、請求項１に記載の配線モジュール。
【請求項３】
前記移動規制手段として、前記支持台部には、前記雌コネクタの背面部の前記検知電線が導入される領域の外側領域を係止することで、前記ハウジングの後方への移動を規制する後止め部が一体に設けられている、請求項２に記載の配線モジュール。
【請求項４】
前記移動規制手段として、前記支持台部には前記雌コネクタの前記ハウジングの側壁に接することで前記雌コネクタの側方への移動を規制する一対の横止め部が一体に設けられている、請求項２または請求項３のいずれか一項に記載の配線モジュール。
【請求項５】
前記移動規制手段として、前記支持台部には前記雌コネクタの前記ハウジングの天板に接することで前記雌コネクタの上方への移動を規制する上止め部が前記一対の横止め部の各々に一体的に設けられている、請求項４に記載の配線モジュール。
【請求項６】
前記移動規制手段として、前記絶縁プロテクタのうち雌コネクタの前記ハウジングが浮き上がり状態にある部分に対応して前記雌コネクタの後方を自由端とした片持ち状の弾性片が設けられ、
前記弾性片は、前記雌コネクタが前記雄コネクタと嵌合していない状態において、前記雌コネクタのハウジングに前記自由端を係止させることで前記雌コネクタの前方への移動を規制し、前記雄コネクタが前記雌コネクタと嵌合する際には前記雄コネクタの前記フード部に押圧されて前記フード部の嵌合経路の外に弾性的に変位する、請求項２から請求項５のいずれか一項に記載の配線モジュール。
【請求項７】
前記絶縁プロテクタには、前記雌コネクタと前記雄コネクタとが嵌合した状態において前記両コネクタを覆うカバー部が設けられると共に、前記雌コネクタの前記ハウジングには前記フード部によって外嵌されない部分に突出するリブ部が突設され、
前記移動規制手段として、前記カバー部には嵌合された前記両コネクタを覆う状態で前記リブ部の前面に接触可能な前止め部が設けられている、請求項２から請求項６のいずれか一項に記載の配線モジュール。
【発明の詳細な説明】
【技術分野】
【０００１】
本発明は、配線モジュールに関する。
【背景技術】
【０００２】
蓄電池に配される配線モジュールの一例として、下記文献１に記載のものが知られている。
【０００３】
このような配線モジュールは一般に、内部に各単電池の状態を検知するための検知電線を備えて、その先端にＥＣＵ（Ｅｌｅｃｔｒｏｎｉｃ  Ｃｏｎｔｒｏｌ  Ｕｎｉｔ）などの相手方機器に設けられたコネクタ（以下相手方コネクタ）と接続するためのコネクタが設けられている。このコネクタは電源側コネクタとなるため、触手防止の観点から雌コネクタを採用することが常識となっている。
【０００４】
そして、上記の文献１の配線モジュールの場合は、各電池側から配線モジュール本体の内部を通って配線モジュールの一端縁部まで配索された検知電線を、さらに外部に延出させて束ね、そこに雌型コネクタを配した形状（いわゆるピッグテール）としている。
【０００５】
このようなピッグテールは、雌コネクタを相手方コネクタと嵌合させた際に雌コネクタを引っ張ったり押したりする外力がかかった場合においても、その撓み具合を変化させることで外力を解消できる。すなわち、配線モジュール本体の外部において、外力といわゆる縁切りを行うことができる。
【０００６】
しかし、蓄電池と外部機器との配置関係等によっては、ピッグテール形状を採用するための十分な外部スペースがとれないため、配線モジュール本体の一端部において各検知電線の先端に雌型コネクタを設けざるを得ない場合がある。この場合、雄コネクタとの嵌合時等に雌コネクタに対してかかった外力は、ピッグテールがないために配線モジュール本体の外部においては解消されず、コネクタが移動してしまうことから、配線モジュール内の各検知電線に伝わって、各電池側における接続箇所にまで及ぶおそれがある。
【先行技術文献】
【特許文献】
【０００７】
【特許文献１】特開２０１６−９６４６号公報（［００３６］、第１図）
【発明の概要】
【発明が解決しようとする課題】
【０００８】
本発明は上記のような事情に基づいて完成されたものであって、省スペース化を図りつつ、コネクタから検知電線に外力が及ぶことを抑制することが可能な配線モジュールを提供することを目的とする。
【課題を解決するための手段】
【０００９】
本明細書に開示された技術に係る配線モジュールは、電力を蓄電又は発電する複数の電力素子を並べた電力モジュールに取り付けられる配線モジュールであって、前記各電力素子を相互接続するための複数の相互接続導体を収容する絶縁プロテクタと、前記絶縁プロテクタに収容され前記各電力素子側から延出されて前記電力素子の状態を検知する複数本の検知電線と、前記検知電線の端部に設けられて前記絶縁プロテクタ内に配置されたコネクタと、前記絶縁プロテクタに設けられ前記コネクタを係止することで前記コネクタの移動を規制する移動規制手段とを備える。
【００１０】
この構成によれば、コネクタを絶縁プロテクタにより移動規制することができるので、コネクタに外力が作用しても、検知電線への影響を防ぐことができる。
【００１１】
本明細書に開示された配線モジュールに係る実施態様として、次の構成が好ましい。
【００１２】
前記コネクタは、相手方コネクタに設けられたフード部によって前方部分が外嵌されるハウジングを備えた雌コネクタであって、前記絶縁プロテクタには前記ハウジングのうち前記フード部によって外嵌されない後方部分を支持することで外嵌される前記前方部分を前記絶縁プロテクタから浮き上がり状態に保持する支持台部が設けられている。
【００１３】
前記移動規制手段として、前記支持台部には、前記雌コネクタの背面部の前記検知電線が導入される領域の外側領域を係止することで、前記ハウジングの後方への移動を規制する後止め部が一体に設けられている。
【００１４】
支持台部により雌コネクタ一部が浮き上がり状態に絶縁プロテクタに保持され、かつ、後止め部が雌コネクタの背面側への移動を規制するから、前記雌コネクタを絶縁プロテクタに取り付けた状態で相手方コネクタを嵌合させることができる。嵌合時に雌コネクタに作用する背面側に移動しようとする力が作用しても、移動規制手段によって受け止められるから、検知電線に外力が及ぶおそれがない。しかもコネクタのうち検知電線が導入された領域を取り囲むように当接するので、コネクタ背面を偏りなく移動規制することができる。
【００１５】
前記移動規制手段として、前記支持台部には前記雌コネクタの前記ハウジングの側壁に接することで前記雌コネクタの側方への移動を規制する一対の横止め部が一体に設けられている。
【００１６】
前記移動規制手段として、前記支持台部には前記雌コネクタの前記ハウジングの天板に接することで前記雌コネクタの上方への移動を規制する上止め部が前記一対の横止め部の各々に一体的に設けられている。
【００１７】
前記移動規制手段として、前記絶縁プロテクタのうち雌コネクタの前記ハウジングが浮き上がり状態にある部分に対応して前記雌コネクタの後方を自由端とした片持ち状の弾性片が設けられ、前記弾性片は、前記雌コネクタが前記雄コネクタと嵌合していない状態において、前記雌コネクタのハウジングに前記自由端を係止させることで前記雌コネクタの前方への移動を規制し、前記雄コネクタが前記雌コネクタと嵌合する際には前記雄コネクタの前記フード部に押圧されて前記フード部の嵌合経路の外に弾性的に変位する。
【００１８】
この構成によれば、弾性片は、相手方コネクタが嵌合していないときにはコネクタの前面に当接して前方への変位を規制する一方、コネクタが相手方コネクタと嵌合する際には相手方コネクタの嵌合経路の外に変位して相手方コネクタへの干渉を避ける。これにより、コネクタが相手方コネクタと嵌合されていないときにコネクタが前方（相手方コネクタとの嵌合方向）への移動を規制することができる。
【００１９】
前記絶縁プロテクタには、前記雌コネクタと前記雄コネクタとが嵌合した状態において前記両コネクタを覆うカバー部が設けられると共に、前記雌コネクタの前記ハウジングには前記フード部によって外嵌されない部分に突出するリブ部が突設され、前記移動規制手段として、前記カバー部には嵌合された前記両コネクタを覆う状態で前記リブ部の前面に接触可能な前止め部が設けられている。
【００２０】
上述の構成によれば、カバーを開けて前止め部を取り外すことで移動規制部の前方側を空けた状態で、コネクタを前方側から絶縁プロテクタ内に配置し、その後にカバーをコネクタに被せることで、コネクタの前方への移動を規制することができる。これにより、雌コネクタを全方向において確実に移動規制することができる。
【発明の効果】
【００２１】
本明細書に開示された技術に係る配線モジュールによれば、省スペース化を図りつつ、検知電線をコネクタに対する外力から保護することが可能となる。
【図面の簡単な説明】
【００２２】
【図１】実施形態１の配線モジュールを示す斜視図
【図２】配線モジュールを示す上面図
【図３】コネクタ収容部を示す斜視図
【図４】雌コネクタを示す右前方斜視図
【図５】雌コネクタを示す右後方斜視図
【図６】雌コネクタを示す下面図
【図７】雌コネクタの配置されたコネクタ収容部を示す斜視図
【図８】雌コネクタの配置されたコネクタ収容部を示す正面図
【図９】図８のＡ−Ａ断面図
【図１０】図８のＢ―Ｂ断面図
【図１１】図８のＣ−Ｃ断面図
【図１２】雌コネクタが配置されカバーが被せつけられた状態を示す前面図
【図１３】相手方コネクタが嵌合された状態を示す斜視図
【図１４】相手方コネクタが嵌合された状態を示す断面図
【図１５】実施形態２の配線モジュールに雌コネクタが配置された状態を示す右前方斜視図
【図１６】雌コネクタが配置されカバーが被せつけられた状態を示す右前方斜視図
【図１７】相手方コネクタが嵌合された状態を示す上面図
【図１８】相手方コネクタが嵌合された状態を示す左後方斜視図
【図１９】相手方コネクタが嵌合されカバーが被せつけられた状態を示す一部切欠き正面図
【発明を実施するための形態】
【００２３】
＜実施形態１＞
本明細書に開示された技術に係る実施形態１を、図１から図１４を参照して説明する。
【００２４】
本実施形態の配線モジュール１（電力モジュールの一例）は、リチウムイオン電池等の複数の蓄電素子ＢＣを並べた蓄電モジュールＢＴに装着される。蓄電モジュールＢＴは、電気自動車やハイブリッド自動車等の車両に搭載されて、走行用の電源として使用される。なお蓄電素子ＢＣとは電力素子の一例であるが、電力素子はこれに限らず、例えばキャパシタや燃料電池であってもよい。以下では、図示におけるＸ方向を右方、Ｙ方向を前方、Ｚ方向を上方として説明する。また、以下の説明においては、複数の同一部材については一の部材にのみ符号を付し、他の部材の符号を省略することがある。また以下の説明においては、複数の同一部材については一の部材にのみ符号を付し、他の部材の符号を省略することがある。
【００２５】
蓄電モジュールＢＴは、正負極が互い違いになるように左右方向に一列に並んだ複数の蓄電素子ＢＣを備え、図１に示すように、その上面に配線モジュール１が取り付けられている。各蓄電素子ＢＣは、蓄電要素が収容された扁平な直方体状の本体部を有し、この本体部の上部に設けられた台座面から突出する図示しないボルト状の電極端子を備える。なお蓄電素子ＢＣは電力素子の一例であり、電池、キャパシタ、燃料電池のいずれであってもよい。
【００２６】
配線モジュール１は、図１および図２に示すように、複数のバスバー端子１０（回路の一例）と、各バスバー端子１０に接続された複数の検知電線９０と、検知電線９０の先に接続された雌コネクタ３０（コネクタの一例）と、これらを収容して蓄電モジュールＢＴの上面に載置される絶縁プロテクタ２０と、により構成されている。
【００２７】
バスバー端子１０は、例えば銅、銅合金、アルミニウム、アルミニウム合金等の導電金属板から形成された相互接続導体に相当するものであり、蓄電素子ＢＣの電極端子ＢＰに接続される端子接続部１２と、この端子接続部１２と一体に形成されている電線接続部１１とを備えている。なおバスバーは相互接続導体の一例であるが、相互接続導体はこれに限らず、例えば電線や絶縁電線でもよい。
【００２８】
端子接続部１２は略長方形の板面形状をなし、各電池間を接続するために長手方向の両端部にボルト貫通孔１３がそれぞれ設けられている。このボルト貫通孔１３には蓄電素子ＢＣの電極端子ＢＰを挿通可能である。
【００２９】
電線接続部１１は一対のかしめ片から構成され、ここに検知電線９０の一端部がカシメ圧着により接続される。検知電線９０の他端部には、後述の雄コネクタの図示しない端子金具が接続される。検知電線９０は導体部の周囲を絶縁被覆（絶縁層）で覆った絶縁電線である。検知電線９０および雄コネクタはバスバー端子１０を図示しない外部のＥＣＵ（Ｅｌｅｃｔｒｏｎｉｃ  Ｃｏｎｔｒｏｌ  Ｕｎｉｔ）に接続するためものである。なおＥＣＵは、マイクロコンピュータ、電子部品等が搭載されたものであって、蓄電素子ＢＣの電圧・電流・温度等の検知、各蓄電素子ＢＣの充放電コントロール等を行うための機能を備えた周知の構成のものである。
【００３０】
絶縁プロテクタ２０は絶縁性の合成樹脂製であって、図１から図３に示すように、バスバー端子１０を支持するバスバー支持部５０と、バスバー支持部５０の右端部から連続するように一体的に設けられたコネクタ収容部６０と、を備える。
【００３１】
バスバー支持部５０は略長方形の板面を備え、その前後縁部に前壁部５８Ａおよび後壁部５８Ｂが設けられるとともに、前壁部５８Ａと後壁部５８Ｂの間には第１〜第４仕切り壁５１Ａ〜５１Ｄが左右方向に延びて設けられている。第３仕切り壁５１Ｃと第４仕切り壁５１Ｄの各右端縁部は、バスバー支持部５０の板面から立ち上がるように設けられた仕切り連結部５５と連結されている。
【００３２】
バスバー支持部５０の板面のうち、前壁部５８Ａと第１仕切り壁５１Ａとの間の板面、および後壁部５８Ｂと第２仕切り壁５１Ｂとの間の板面は、それぞれ第１バスバー載置面５２Ａおよび第２バスバー載置面５２Ｂとなっている。各バスバー載置面５２Ａ，５２Ｂは複数の隔壁によって左右に並ぶ小区画に分割されるとともに、小区画毎に図示しない二つの貫通孔が設けられている。図１に示すように、各バスバー端子１０は各小区画内のバスバー載置面５２Ａ，５２Ｂに、二つのネジ孔を左右方向（蓄電素子ＢＣの並び方向）に並べる向きで載置されている。なお、第１仕切り壁５１Ａおよび第２仕切り壁５１Ｂの上縁部には、各小区画毎に切欠きが設けられている。
【００３３】
なお、蓄電モジュールＢＴ上において隣接する蓄電素子ＢＣの正負極を互い違いに接続するため、第２バスバー載置面５２Ｂは第１バスバー載置面５２Ａよりも小区画の左右寸法の半分だけ右方向にずらして配されている。この結果、第２バスバー載置面５２Ｂの前方には、第１バスバー載置面５２Ａの小区画の左右幅の半分の幅の余剰面６１Ｂがコネクタ収容部６０の前壁面に至るまで形成されている。
【００３４】
バスバー支持部５０の板面のうち、第１仕切り壁５１Ａと第３仕切り壁５１Ｃとの間の板面、および第２仕切り壁５１Ｂと第４仕切り壁５１Ｄとの間の板面は、それぞれ第１電線載置面５３Ａおよび第２電線載置面５３Ｂとなっている。
【００３５】
各バスバー端子１０に接続された検知電線９０は、各バスバー載置面５２Ａ，５２Ｂ上から第１仕切り壁５１Ａと第２仕切り壁５１Ｂの各切欠きを通って各電線載置面５３Ａ，５３Ｂ上に配され、その右端部から延出する。なお、バスバー支持部５０およびコネクタ収容部６０における各検知電線９０毎の詳細な図示は省き、配索箇所毎に１本のチューブ形状として模式的に示している。
【００３６】
バスバー支持部５０の前壁部５８Ａおよび後壁部５８Ｂの上縁部にはそれぞれ、平板状の第１カバー５４Ａおよび第２カバー５４Ｂがヒンジを介して一体的に設けられている。第１カバー５４Ａおよび第２カバー５４Ｂのうちヒンジとは反対側の端縁部には、それぞれ等間隔に係止爪５６Ａ、５６Ｂが設けられている。そして、第３仕切り壁５１Ｃのうち前壁部５８Ａよりも遠い側の面、および第４仕切り壁５１Ｄにおける後壁部５８Ｂよりも遠い側の面には、それぞれ係止爪５６Ａ、５６Ｂに対する係止受け部５７Ａ、５７Ｂが等間隔に設けられている。これにより、各カバーをヒンジを中心として回動させてそれぞれ各バスバー載置面５２Ａ，５２Ｂと各電線載置面５３Ａ，５３Ｂとの上を覆うように被せつけると、各カバーの各係止爪５６Ａ、５６Ｂが各係止受け部５７Ａ、５７Ｂに係止するようになっている。
【００３７】
コネクタ収容部６０は蓄電素子ＢＣの並び方向における絶縁プロテクタ２０の右端側に設けられ、図２および図３に示すように、板状の台座部６１と、台座部６１に設けられた支持台部６２（支持台部の一例および移動規制手段の一例）と、側壁部６４と、コネクタカバー６５（カバー部の一例）と、前部電線カバー６６および後部電線カバー７０と、を備える。
【００３８】
台座部６１は、前述のバスバー支持部５０の板面のうち上述の余剰面６１Ｂと、余剰面６１Ｂのうち前側の半分から右方に延出された延出面６１Ａと、を備えた、略逆Ｌ字形状の板面となっている。すなわち、台座部６１はその一部にバスバー支持部５０の板面のうち余剰面６１Ｂを利用して設けられている。
【００３９】
支持台部６２は台座部６１のうち延出面６１Ａの前後方向略中央に設けられている。すなわち、支持台部６２は台座部６１において、余剰面６１Ｂの幅分だけ右にずらして配されている。支持台部６２は、延出面６１Ａから垂直に立ち上がる一対の板状の横止め部６２Ｂと、各横止め部６２Ｂと一体に設けられて各横止め部６２Ｂの上端から互いに向かって延びる一対の板状の上止め部６２Ｃと、延出面６１Ａ上において両側壁部６４の間に左右に延びる板状の支承部６２Ａ（支持台部の一例）と、これらの背面４５側に設けられた後止め部６２Ｄと、を備え、延出面６１Ａの左右方向における中心線を挟んで左右対称の形状となっている。
【００４０】
両横止め部６２Ｂの互いに対向する面は、互いに平行な平坦面となっている。また、上止め部６２Ｃの下面および支承部６２Ａの上面は、延出面６１Ａと平行な平坦面となっている。そして、支持台部６２の前面視において、その空間の奥方に、後止め部６２Ｄの平坦な前面が上方開口の略コの字形状に露出している。これにより、支承部６２Ａ、横止め部６２Ｂ、上止め部６２Ｃ，および後止め部６２Ｄは一体的に設けられている。
【００４１】
また、後止め部６２Ｄの背面側はその上端から台座部６１の延出面６１Ａにかけて傾斜面となっている。これにより、図９に示すように、後止め部６２Ｄは前後方向の断面において前面側の辺が垂直な裾広がりの台形をなしている。
【００４２】
なお支持台部６２はさらに、延出面６１Ａのうち支承部６２Ａよりも前方に左右対称に配置された片持ち形状の一対の弾性片６２Ｅを備えている。弾性片６２Ｅは前側を基端部として、後方ほど高くなるよう傾斜しつつ後方に延出し、載置部の上面よりも高い位置で屈曲され、それより先は延出面６１Ａと略平行に延びている。弾性片６２Ｅの後端縁（自由端）から後止め部６２Ｄの前面までの奥行寸法は、後述する雌コネクタ３０の枠部４０の下板部４２を受け入れ可能な程度に設定されており、できればその程度範囲内の最小寸法に設定することが望ましい。
【００４３】
コネクタ収容部６０の側壁部６４は台座部６１のうち延出面６１Ａの右前方の角部から余剰面６１Ｂの右後方の角部に至るまで連続して板面から立ち上がるように設けられ、その高さ寸法は上端面がバスバー支持部５０の第２仕切り壁５１Ｂの上端面と面一となる程度とされている。側壁部６４の後端縁部は、第２仕切り壁５１Ｂの右端縁部と連結している。
【００４４】
コネクタカバー６５は、側壁部６４のうち延出面６１Ａから立ち上がった直線部分の上端縁部に、ヒンジを介して回動可能に一体的に設けられている。コネクタカバー６５の内側（図３における上面側）には、雌コネクタ３０の上面形状に合わせた凹部が設けられている。凹部の底面のうち前後方向略中央部よりもやや前よりの位置には、一対の前後止め部６７が凹部の左右方向における中心線を挟んで左右対称に設けられている。各前後止め部６７は、平たい小片状の後止め片６７Ｂと前止め片６７Ａ（前止め部の一例）とが、雌コネクタ３０の後縁リブ３４の厚み程度の間隙を設けつつ前後に並んで配されている。各前止め片６７Ａからは、補強リブ６７Ｃが前後方向に沿って後止め片６７Ｂを貫通し凹部の後端まで延びている。
【００４５】
コネクタカバー６５の図３の状態における右端縁部は右方へ平板状に延出され、さらにその延出部分が後方へ延出されて、余剰面６１Ｂのうち前側を覆う前部電線カバー６６となっている。前部電線カバー６６の前端縁部からは第１突片６７Ｄが上方へ突出して設けられるとともに、前部電線カバー６６の板面からは第１突片６７Ｄの後方に間隙を設けつつ第２突片６７Ｅが上方へ突出して設けられている。第１突片６７Ｄと第２突片６７Ｅの間隙の寸法は、余剰面６１Ｂの前壁部５８Ａの厚み程度とされている。また、コネクタカバー６５の後端縁部外側（背面側）からは第３突片６７Ｆが上方へ突出して設けられるとともに、後端縁部内側（凹部側）からは第４突片６７Ｇが上方へ突出して設けられている。
【００４６】
なおバスバー支持部５０に設けられた第２カバー５４Ｂは、図２に示すように、右後方の角部が後方に向かって延出されて、余剰面６１Ｂのうち後ろ側を覆う後部電線カバー７０となっている。後部電線カバー７０は図１から図３の状態における左端部に側片７０Ａが上方へ突出して設けられている。
【００４７】
雌コネクタ３０は、ハウジング３２内に雌端子３１を収容して構成されている。ハウジング３２は、図４から図６に示すように、扁平な直方体形状のコネクタ本体部３３と、その後端を包囲するコの字形状の枠部４０とを、一体的に備えている。
【００４８】
枠部４０は側板部４１と下板部４２とを備える。枠部４０のうち下板部４２の左右方向中心部は、左右対称に下方へ突出されて、コネクタ収容部６０に設けられた支持台部６２の支承部６２Ａに支承されるための脚部４３となっている。脚部４３の下面はコネクタ本体部３３の下面と平行な平坦面となっており、前端を下板部４２の前端に揃えて設けられている。
【００４９】
ハウジング３２の天板の上面には、後縁に沿って左右に延びる後縁リブ３４（リブ部の一例）と、側縁に沿って延びる一対の側縁リブ３５と、両側縁リブ３５の間に左右対称に配され前後に延びる複数本の縦リブ３６，３７とが、上方に突出して設けられている。後縁リブ３４のうち、天面の左右方向における中心線に最も近い左右第１リブ３６と、それに隣接する左右第２リブ３７とに挟まれた各部分は、コネクタカバー６５の前後止め部６７に挟持される被挟持部３４Ａとなっている。後縁リブ３４、両第２リブ３７、および両側縁リブ３５は連続して設けられ、その上端面は面一となっている。両第１リブ３６の間には、相手方コネクタＭの係止部が係止するための被係止部が配されている。
【００５０】
ハウジング３２は前方向（すなわち蓄電素子ＢＣの並び方向に対して直交する方向）に開口する複数の端子孔３８が設けられ、各端子孔３８に各雌端子３１が収容されている。すなわち、ハウジング３２は、前方部分（枠部４０によって包囲されていない部分）が相手方コネクタＭ（以下、相手方コネクタＭ）に設けられたフード部によって外嵌される部分となっており、後方部分（枠部４０）が相手方コネクタＭのフード部によって外嵌されない部分となっている。
【００５１】
ハウジング３２のうち本体部の背面４５には、検知電線９０を導入するための導入孔３９が複数並んで設けられている。言い換えれば、ハウジング３２の背面４５のうち少なくとも枠部４０の背面４５は、挿通孔が設けられた領域の外側領域となっている。また、枠部４０の背面４５は、本体部の背面４５と面一の面を備える。
【００５２】
雌コネクタ３０をコネクタ収容部６０に収容するには、雌コネクタ３０の背面４５をコネクタ収容部６０の後方に向け、枠部４０の下面で弾性片６２Ｅの自由端側を弾性的に下方変位させながら後方に向かって進入させる。そして、コネクタの枠部４０が弾性片６２Ｅの上を通過し、支持台部６２の両横止め部６２Ｂ、両上止め部６２Ｃ、および支承部６２Ａによって画定される空間に配されると、弾性片６２Ｅの自由端側が上方へ弾性的に変位し、その先端が枠部４０の下面の段差面４４（相手方コネクタＭのフード部によって外嵌されない部分の前面）の前方に起立して当接可能となる。これにより、図７から図１１に示すように、雌コネクタ３０は枠部４０（相手方コネクタＭのフード部によって外嵌されない部分）が支持台部６２の支承部６２Ａに支持されつつ、横止め部６２Ｂ、上止め部６２Ｃ、後止め部６２Ｄにより、左右、上方、および後方への移動が規制される一方、枠部４０の下面の段差面４４（相手方コネクタＭのフード部によって覆われる部分）において弾性片６２Ｅにより前方への移動が規制されている。また雌コネクタ３０はこの状態において、端子孔３８を前に向け（すなわち蓄電素子ＢＣの並び方向とは直角の方向に向けて）、コネクタの前方部分（相手方コネクタＭのフード部によって外嵌される部分）を支承部６２Ａの上下厚み分（支承部６２Ａの上面と延出面６１Ａとの高さの差分）とコネクタの枠部４０の脚部４３下面におけるコネクタ本体部３３からの突出厚み分とを合わせた分だけ、絶縁プロテクタ２０（延出面６１Ａ）から浮き上がり状態に保持されている。
【００５３】
第２電線載置面５３Ｂから延出してコネクタ収容部６０内に入った検知電線９０は、図７に示すように、余剰面６１Ｂ上において略直角に前方に曲げられて、第１電線載置面５３Ａの延長線上まで延出し、第１電線載置面５３Ａからコネクタ収容部６０内に入った検知電線９０と合流される。合流した検知電線９０は右斜め前方に緩やかに曲げられ、上方から固定部材６９が被せられて台座部６１の挿通孔に挿通されることで台座部６１上に固定され、さらに雌コネクタ３０の後方で緩やかに前方に向かって曲げられている。なお、本実施形態においてはコの字形状の固定部材６９を例示しているが、固定部材６９は結束バンドなどを利用してもよく、要は検知電線９０をコネクタ収容部６０の内部において固定できればよい。
【００５４】
コネクタ収容部６０に収容された雌コネクタ３０の上面にコネクタカバー６５が被せつけられると、雌コネクタ３０と延出面６１Ａ上の検知電線９０とがコネクタカバー６５により覆われるとともに、余剰面６１Ｂ上に配された検知電線９０の前方部分が前部電線カバー６６により覆われる。このとき、図１２に示すように、コネクタカバー６５の凹部に設けられた前後止め部６７の前止め片６７Ａと後止め片６７Ｂがコネクタの天面に設けられた被挟持部３４Ａを挟み付けるとともに、前部電線カバー６６に設けられた第１突片６７Ｄと第２突片６７Ｅが余剰面６１Ｂの前壁部５８Ａの上端縁部を挟み付け、第３突片６７Ｆと第４突片６７Ｇが台座部６１の延出面６１Ａの後端縁から立ち上がる側壁部６４の上端縁部を挟み付ける。これにより、コネクタカバー６５は余剰面６１Ｂの前壁部５８Ａと台座部６１の側壁部６４に支承されるとともに前後方向への変位が規制され、コネクタはコネクタカバー６５の前後止め部６７により前後方向の移動が規制される。
【００５５】
なお、余剰面６１Ｂ上に配された検知電線９０のうち後方部分は、第２カバー５４Ｂがバスバー支持部５０に被せられた際に、第２カバー５４Ｂと一体的に設けられた後部電線カバー７０によって覆われる。この際、後部電線カバー７０の側片７０Ａに仕切り連結部５５を跨がせることにより、後部電線カバー７０は仕切り連結部５５によって支承される。
【００５６】
コネクタ収容部６０に収容されたコネクタに対して相手方コネクタＭを嵌合させる際には、相手方コネクタＭのフード部を雌コネクタ３０の前方に外嵌させて、後方へ進入させる。すると、進入経路内に突出していた弾性片６２Ｅはフード部の下面に押圧されて弾性的に下方変位し、フード部の下面に当接する。そして、相手方コネクタＭを雌コネクタ３０天面に設けられた係止部に係止して、図１３および図１４に示すように、嵌合状態となる。このとき雌コネクタ３０の枠部４０の段差面４４は相手方コネクタＭの開口面と対向し、弾性片６２Ｅは相手方コネクタＭの嵌合経路から下方に退避した状態となっている。
【００５７】
本実施形態の構成によれば、雌コネクタ３０のうち相手方コネクタＭに外嵌される前方部分を浮き上がり状態に保持し、相手方コネクタＭに嵌合されない部分を支持しつつ、雌コネクタ３０の変位を規制することができる。また相手方コネクタＭを雌コネクタ３０に嵌合させる際、支持台部６２の後止め部６２Ｄが雌コネクタ３０の背面４５のうち検知電線９０の導入領域を取り囲む略コの字状の領域に当たって嵌合力を受け止めるから、検知電線９０に力が及ぶことがなく、しかも左右均等に力を受け止めることができる。
【００５８】
また、相手方コネクタＭに嵌合されていないときには弾性片６２Ｅによって雌コネクタ３０の前方への変位を規制することができ、カバーに設けられた前後止め部６７は必ずしも必要ではない。したがって、たとえば配線モジュール１を蓄電モジュールＢＴ上に取り付ける作業をカバーを開けた状態で行えば、作業途中においても検知電線９０の状態を確認することができ、また配線モジュール１を傾ける際にも雌コネクタ３０の前ずれ防止だけのためにコネクタカバー６５を被せつける必要がないので、作業性がよい。そして、雌コネクタ３０に相手方コネクタＭを外嵌させた後（すなわち弾性片６２Ｅによる前止めが解除された後）は、コネクタカバー６５を被せつければ、コネクタカバー６５に設けられた前止め片６７Ａによって引き続きコネクタの前ずれを防止することができる。
【００５９】
また、本実施形態によれば、支持台部６２の後止め部６２Ｄが雌コネクタ３０の背面４５のうち左右端部および下端部に当接して外方からの力を受け止める一方、コネクタカバー６５が被せつけられた後はさらに、コネクタカバー６５に設けられた前後止め部６７が雌コネクタ３０の上面に設けられたリブの背面４５に後方から接して外方からの力を受け止めるので、より確実に後方への移動を規制することができる。
【００６０】
また、支持台部６２がバスバー支持部５０から余剰面６１Ｂを隔てて配置されているので、その分、コネクタ収容部６０内における検知電線９０の延出長さに余裕を持たせることができる。これにより、検知電線９０の曲げ箇所を分散させることができ、また雌コネクタ３０の取り回しが容易になって作業性がよくなり、しかもコネクタを介した外方からの衝撃を検知電線９０の遊びにより解消することができる。
【００６１】
＜実施形態２＞
本明細書に開示された技術に係る実施形態２を図１５から図１９を参照して説明する。
【００６２】
実施形態１の配線モジュール１は、雌コネクタ３０が端子孔３８を前方に向けて（すなわち蓄電素子ＢＣの並び方向とは直交する方向に向けて）絶縁プロテクタ２０に固定される構成であるのに対し、本実施形態の配線モジュール１００は、雌コネクタ１３０が端子孔１３８を右方に向けて（すなわち蓄電素子ＢＣの並び方向に沿って）絶縁プロテクタ１２０に固定される構成としている。なお本実施形態においては実施形態と異なる構成のみ説明し、実施形態１と同様の構成については説明を省略する。
【００６３】
本実施形態においては、支持台部１６２には前壁部１５８Ａが台座部１６１の前端縁部にバスバー支持部１５０の前壁部１５８Ａと連続して設けられる一方、右端縁は側壁部１６４のない開放端とされている。そして、第１実施形態と同様の支持台部１６２が、後ろ止め部の背面１４５部に設けられた傾斜面の下端縁部を余剰面１６１Ｂの右端に沿わせつつ、台座部１６１の延出部上の前後方向における中心線を挟んで左右対称に配されている。
【００６４】
コネクタカバー１６５は、台座部１６１の前壁部１５８Ａの上端縁部にヒンジを介して回動可能に一体的に設けられている。コネクタカバー１６５は右方が開放された凹部を備え、その底面の略中央部には前後止め部１６７と補強リブ１６７Ｃが前後方向における中心線を挟んで左右対称に設けられて、コネクタの左右方向（嵌合方向における前後方向）への変位を規制するようになっている。また、図１５の状態におけるコネクタカバー１６５のヒンジとは反対側の縁部には前後方向に貫通孔の設けられた環状片が設けられる一方、延出面１６１Ａの後端縁から立ち上がる側壁部１６４には環状片と対応する位置に突起部が設けられている。なお、本実施形態においては前部電線カバーは設けられておらず、コネクタカバー１６５の凹部が雌コネクタ１３０とコネクタ前側の検知電線１９０との両方を覆う構成となっている。
【００６５】
コネクタカバー１６５が雌コネクタ１３０に被せ付けられると、環状片の貫通孔１１３に突部が嵌り込み、これによりコネクタカバー１６５の左右方向（コネクタの嵌合方向における前後方向）への移動が規制されている。
【００６６】
第２電線載置面１５３Ｂから延出してコネクタ収容部１６０内に入った検知電線１９０は、図１６の点線に示すように、余剰面１６１Ｂ上において略直角に前方に曲げられて第１電線載置面１５３Ａの延長線上まで延出し、第１電線載置面１５３Ａからコネクタ収容部１６０内に入ってから前方に向けて直角に曲げられた検知電線１９０と合流される。合流した検知電線１９０は前方に向かって延出し、上方から固定部材１６９が被せられて台座部１６１の挿通孔に挿通されることで台座部１６１上に固定されてから、さらに前方に向かって延出し、台座部１６１の前壁部１５８Ａの手前で１８０度折り返される。折り返された検知電線１９０の束は、折り返し前の検知電線１９０自身の上に積み上げられ、そのまま後方に延出してから、雌コネクタ１３０の後方（背面側）で直角に曲げられている。そして、図１７から図１８に示すように、相手方コネクタＭを右方（蓄電素子ＢＣの並び方向）から雌コネクタ１３０に外嵌させることで、相手方コネクタＭと嵌合する。
【００６７】
本実施形態によれば、支持台部１６２が余剰面１６１Ｂの右端に寄せて配置され、これによりコネクタ収容部１６０内に延出した検知電線１９０の束の幅に相当するスペースを最小限確保するとともに、蓄電素子ＢＣの並び方向におけるコネクタ収容部１６０の長さ寸法を最小限に抑えている。
【００６８】
また、本実施形態のように支持台部１６２を余剰面１６１Ｂの右端に寄せて配置した場合は特に第１電線載置面１５３Ａの右端部からコネクタ背面１４５までの距離が極端に短くなるが、本実施形態によれば余剰面１６１Ｂにおけるスペースを前後長さから上下深さに至るまで有効に利用し、検知電線１９０を折り返して積み重ねているので、検知電線１９０の長さを十分確保することができる。これにより、検知電線１９０の曲げ箇所を分散させることができ、また雌コネクタ１３０の取り回しが容易になって作業性がよくなり、しかもコネクタを介した外方からの衝撃を検知電線１９０の遊びにより吸収することができる。
【００６９】
＜他の実施形態＞
本明細書に開示された技術は上記記述及び図面によって説明した実施形態に限定されるものではなく、例えば次のような形態で実施することが可能である。
【００７０】
（１）上記各実施形態では、検知電線９０は一端部がバスバー端子１０に接続されて電池の電圧を検出する構成としたが、これに代えて又はこれに加えて電池等の電力素子の温度を検出する温度センサーに接続した電線であってもよく、要するところ電池等の電力素子の状態を検知するための電線であればよい。
【００７１】
（２）上記実施形態では、雌コネクタ３０を支承部６２Ａの上に載置することで絶縁プロテクタ２０内において相手方コネクタＭに外嵌される部分を浮き上がり状態に保持する構成としたが、浮き上がり状態に保持する必要がなければ、支承部６２Ａを省いて、絶縁プロテクタ内に収容されるコネクタを台座部６１に直接載置してもよい。
【００７２】
（３）また、弾性片６２Ｅは絶縁プロテクタ２０に一体に成型するに限らず、独立の部品として構成しても良く、また相手方コネクタＭに嵌合されない状態における前止めの必要性に応じて設ければ良いのであって、必ずしも必須ではない。
【符号の説明】
【００７３】
１、１００  配線モジュール
１０  バスバー端子
９０  検知電線
２０  絶縁プロテクタ
３０、１３０  雌コネクタ
３２  ハウジング
３３  コネクタ本体部
３４  後縁リブ（リブ部）
４０  枠部
５０  バスバー支持部
６０，１６０  コネクタ収容部
６１，１６１  台座部
６１Ａ、１６１Ａ  延出面
６１Ｂ  余剰面
６２  支持台部（支持台部、移動規制手段）
６２Ａ  支承部
６２Ｂ  横止め部
６２Ｃ  上止め部
６２Ｄ  後止め部
６２Ｅ  弾性片
６５、１６５  コネクタカバー
６６  前部電線カバー
６７Ａ、１６７Ａ  前止め片（前止め部）
７０，１７０  後部電線カバー
Ｍ  相手方コネクタ
【図１】
2018085201.tif 000003
【図２】
2018085201.tif 000004
【図３】
2018085201.tif 000005
【図４】
2018085201.tif 000006
【図５】
2018085201.tif 000007
【図６】
2018085201.tif 000008
【図７】
2018085201.tif 000009
【図８】
2018085201.tif 000010
【図９】
2018085201.tif 000011
【図１０】
2018085201.tif 000012
【図１１】
2018085201.tif 000013
【図１２】
2018085201.tif 000014
【図１３】
2018085201.tif 000015
【図１４】
2018085201.tif 000016
【図１５】
2018085201.tif 000017
【図１６】
2018085201.tif 000018
【図１７】
2018085201.tif 000019
【図１８】
2018085201.tif 000020
【図１９】
2018085201.tif 000021